(57)【特許請求の範囲】
【請求項１】
多分割された２次側の各高圧コイルの出力側に直列に、高圧整流ダイオードを接続すると共に、中段に接続したブリーダ抵抗の途中からフォーカス電圧を取り出す方式のフライバックトランスにおいて、
コイル巻き始め端に高圧整流ダイオードを設けると共に、この高圧整流ダイオードのカソード側に、フォーカス電圧調整用のコンデンサと、フォーカス電圧調整用の可変抵抗を直列に接続したことを特徴とするフライバックトランス。
【発明の詳細な説明】
【０００１】
【産業上の利用分野】
本発明は、テレビジョン受信機（ＴＶ）の受像管等に適用されるフライバックトランス（以下、ＦＢＴと略称する）に係り、特にそれのフォーカス電圧の出力部に関する。
【０００２】
【従来の技術】
図７は一般的なＴＶ受像管のＦＢＴにおいて、フォーカスブロックを用いたフォーカス出力回路の一例を示したものである。
【０００３】
同図において、１はＦＢＴ、２はフォーカスブロック、３はフォーカスブロック２の可変抵抗、４（４ｂ，４ｃ，４ｄ，４ｅ）は高圧整流ダイオード、５（５ａ，５ｂ，５ｃ，５ｄ）は二次巻線側の高圧コイル、６は高圧整流ダイオード４ｃのアノード側接続点である。各高圧整流ダイオード４ｂ〜４ｅは、各高圧コイル５ａ，５ｂ，５ｃ，５ｄごとに直列に接続されている。
【０００４】
上記フォーカス出力回路では、以下の動作に従ってフォーカス出力電圧が得られる。
【０００５】
高圧コイル５の中段の高圧コイル５ｂに直列接続された高圧整流ダイオード４ｃのアノード側接続点６に出力される電圧を、フォーカスブロック２で分圧し、さらにフォーカスブロック２と一体化されている可変抵抗３を用いて調整することでフォーカス出力電圧が得られ、ＴＶ受像管のフォーカス等へ出力される。
【０００６】
【発明が解決しようとする課題】
上記した従来技術では、高圧整流ダイオード４ｃのアノード側接続点６に出力される電圧はＤＣ８．５ＫＶ程度であり、またフォーカス出力電圧の必要可変範囲はＤＣ３ＫＶ程度であるため、図８に示すように、絶縁を施した直径約２０ｍｍ程度の可変抵抗３が必要となり、ＦＢＴ１と一体化されたフォーカスブロック２としては高価で構造的に大型で、自動調整等が難しいという問題がある。
【０００７】
本発明は上記の点に鑑みてなされたものであり、その目的とするところは、ＦＢＴと一体型の絶縁された高価な可変抵抗を用いることなく、安価で小型かつフォーカス出力電圧の自動調整等の対応が可能なフライバックトランスを提供することにある。
【０００８】
【課題を解決するための手段】
上記目的を達成するために、本発明は、多分割された２次側の各高圧コイルの出力側に直列に、高圧整流ダイオードを接続すると共に、中段に接続したブリーダ抵抗の途中からフォーカス電圧を取り出す方式のフライバックトランスにおいて、コイル巻き始め端に高圧整流ダイオードを設けると共に、この高圧整流ダイオードのカソード側に、フォーカス電圧調整用のコンデンサと、フォーカス電圧調整用の可変抵抗を直列に接続したことを特徴とする。
【０００９】
【作用】
本発明においては、可変抵抗の値を変えて巻き始め端に設けた高圧整流ダイオードに流れる電流を制御することにより、各高圧コイルの中性点を変化させ、任意のフォーカス出力電圧をブリーダ抵抗の途中より出力するようにしている。
【００１０】
【実施例】
以下、本発明の実施例を図面に基づいて説明する。図１は実施例に係るフライバックトランスの回路図である。
【００１１】
この実施例のＦＢＴ１は、図７に示す従来例と同様に、多数に分割された高圧コイル５ａ〜５ｄの出力側（巻き終わり端）にそれぞれ高圧整流ダイオード４ｂ〜４ｅを接続する他に、高圧コイル５ａの巻き始め端にも高圧整流ダイオード４ａを接続している。
【００１２】
そして、この高圧整流ダイオード４ａのカソード側には、フォーカス電圧調整用コンデンサ８と、フォーカス電圧調整用可変抵抗（以下、Ｒｘと略称する）９を直列に接続している。
【００１３】
また、高圧整流ダイオード４ｃのアノード側接続点６は、ブリーダ抵抗７で分圧され、その中間接続点１０からフォーカス出力電圧として取り出されるようになっている。
【００１４】
図２は、各高圧コイル５に発生する高圧パルス波形を示した図である。
【００１５】
同図において、可変抵抗（Ｒｘ）９に流れる電流ｉａは、Ｒｘ９が小さいとき小さく、Ｒｘ９が大きくなると大きくなる。また高圧整流ダイオード４ａに流れる電流ｉｂは、Ｒｘ９が小さいとき大きく、Ｒｘ９が大きくなると小さくなる関係がある。このＲｘ９と電流ｉａ，ｉｂの関係は図３に示される。
【００１６】
図１において、可変抵抗（Ｒｘ）９が小さくなると電流ｉａが大きくなり、巻き始め端の高圧整流ダイオード４ａが無い場合と回路的に等価となり、中性点が存在しなくなり、高圧整流ダイオード４ｃのアノード側接続点６の出力電圧は図４に示すＥＦ１となる。
【００１７】
また、Ｒｘ９が大きくなると電流ｉｂが大きくなり、巻き始めの高圧整流ダイオード４ａを設けた場合の回路と等価となり、図２に示すように高圧コイルに中性点が発生するために、高圧コイル５ａの発生パルスｅ１はｅ１ａ，ｅ１ｂに、高圧コイル５ｂの発生パルスｅ２はｅ２ａ，ｅ２ｂに、高圧コイル５ｃの発生パルスｅ３はｅ３ａ，ｅ３ｂに各々分担される。
【００１８】
高圧整流ダイオード４ｃのアノード側接続点６の出力電圧は、高圧コイル５ａ，５ｂの発生パルスｅ１，ｅ２に、高圧コイル５ｃの発生パルスｅ３の中性点より低圧側のｅ３ａが重畳された図５に示す電圧ＥＦ２となる。
【００１９】
よって、Ｒｘ９を可変することにより、各高圧コイル５ａ〜５ｃの中性点を変えることができるため、高圧コイル５ｃの発生パルスｅ３の中性点より低圧側の重畳されたｅ３ａの電圧分だけフォーカス電圧が調整可能となる。
【００２０】
図６に示すように、Ｒｘ９を可変することで、ブリーダ抵抗７の中間点１０の出力電圧は調整可能であり、ブリーダ抵抗７は大型の可変抵抗３を特に必要とせず、任意のフォーカス電圧を出力することができる。
【００２１】
また、Ｒｘ９は特に定電圧で調整可能であるため、自動調整等も容易に対応可能である。
【００２２】
【発明の効果】
本発明によれば、可変抵抗の値を変えて巻き始め端に設けた高圧整流ダイオードに流れる電流を制御することにより、各高圧コイルの中性点を変化させ、任意のフォーカス出力電圧をブリーダ抵抗の途中より出力するようにしたから、フライバックトランスと一体型の絶縁された高価な可変抵抗を用いることなく、比較的安価で小型に、かつフォーカス電圧の自動調整等の対応可能なフライバックトランスを供給することができる。
【図面の簡単な説明】
【図１】本発明の実施例に係るフライバックトランスの回路図である。
【図２】各分割された高圧コイルに発生する高圧パルスの中性点を示した図である。
【図３】フォーカス電圧調整用可変抵抗Ｒｘと、電流ｉａ，ｉｂの関係を示す特性図である。
【図４】各分割された高圧コイルに発生する高圧パルス波形を示した図である。
【図５】各分割された高圧コイルに発生する高圧パルス波形を示した図である。
【図６】フォーカス電圧調整用可変抵抗Ｒｘとフォーカス比を示す特性図である。
【図７】従来の可変抵抗内蔵のフライバックトランスを示す回路図である。
【図８】従来の可変抵抗一体のブリーダ抵抗を示す図である。
【符号の説明】
４ａ  高圧整流ダイオード
５ａ  高圧コイル
６  高圧整流ダイオードの接続点
８  コンデンサ
９  可変抵抗
１０  ブリーダ抵抗中間接続点
【図１】
0003556006.tif 000002
【図２】
0003556006.tif 000003
【図３】
0003556006.tif 000004
【図４】
0003556006.tif 000005
【図５】
0003556006.tif 000006
【図６】
0003556006.tif 000007
【図７】
0003556006.tif 000008
【図８】
0003556006.tif 000009